(57)【要約】【課題】  マウスへの汚れの付着を低減し操作性を向上させることが可能なマウスを実現する。【解決手段】  コンピュータに接続され表示画面上のマウスポインタを任意の位置に移動させ位置を指定するマウスにおいて、本体と、この本体に装着されコンピュータと接続するためのケーブルと、本体の上面に並行に設けられた２つのボタンと、本体の裏面の中央部分に設けられ移動平面における移動量や移動方向を検出する移動量検出手段と、本体の裏面の周辺部分に設けられ移動平面との摩擦抵抗を低減するための複数のパッドと、本体の側面であってボタンの近傍に設けられた吸気口と、本体内部に設けられたファンと、本体の裏面に設けられた複数の排気口と、本体内部にであって吸気口とファンの吸気側と、ファンの排気側と複数の排気口とをそれぞれ接続する通気管とを設ける。【選択図】                    図１
2005352565.tif 000002
【特許請求の範囲】
【請求項１】
コンピュータに接続され表示画面上のマウスポインタを任意の位置に移動させ位置を指定するマウスにおいて、
本体と、
この本体に装着され前記コンピュータと接続するためのケーブルと、
前記本体の上面に並行に設けられた２つのボタンと、
前記本体の裏面の中央部分に設けられ移動平面における移動量や移動方向を検出する移動量検出手段と、
前記本体の裏面の周辺部分に設けられ移動平面との摩擦抵抗を低減するための複数のパッドと、
前記本体の側面であって前記ボタンの近傍に設けられた吸気口と、
前記本体内部に設けられたファンと、
前記本体の裏面に設けられた複数の排気口と、
前記本体内部にであって前記吸気口と前記ファンの吸気側と、前記ファンの排気側と前記複数の排気口とをそれぞれ接続する通気管と
を備えたことを特徴とするマウス。
【請求項２】
前記吸気口と相対する前記本体の側面に設けられた第２の排気口と、
前記ファンの排気側と前記第２の排気口とを接続する第２の通気管と
を備えたことを特徴とする
請求項１記載のマウス。
【請求項３】
前記移動量検出手段が前記本体の移動を検出した場合に前記ファンを動作させることを特徴とする
請求項１若しくは請求項２記載のマウス。
【請求項４】
前記ボタンが操作された場合に前記ファンを動作させることを特徴とする
請求項１若しくは請求項２記載のマウス。
【請求項５】
前記第２の排気口近傍に設けられた温度センサとを備え、
前記温度センサで測定した温度が予め設定された閾値を超過した場合に前記ファンを動作させることを特徴とする
請求項１若しくは請求項２記載のマウス。
【請求項６】
前記第２の通気管に設けられた開閉手段と、
前記第２の排気口近傍に設けられた温度センサとを備え、
前記温度センサで測定した温度が予め設定された閾値を超過した場合に前記開閉手段を開くことを特徴とする
請求項１若しくは請求項２記載のマウス。
【請求項７】
前記移動量検出手段が、
ボールと、
このボールに接する複数個の回転数検出センサとを備え、
前記回転数検出センサの回転数に基づき移動量や移動方向を検出することを特徴とする
請求項１乃至請求項６のいずれかに記載のマウス。
【請求項８】
前記移動量検出手段が、
発光素子と、
受光素子と、
信号処理手段とを備え、
前記発光素子から出射された光の移動平面における反射光を受光素子で受光して信号処理して移動量や移動方向を検出することを特徴とする
請求項１乃至請求項６のいずれかに記載のマウス。
【発明の詳細な説明】
【技術分野】
【０００１】
本発明は、コンピュータに接続され表示画面上のマウスポインタを任意の位置に移動させ位置を指定するマウスに関し、特にマウスへの汚れの付着を低減し操作性を向上させることが可能なマウスに関する。
【背景技術】
【０００２】
従来のコンピュータに接続され表示画面上のマウスポインタを任意の位置に移動させ位置を指定するマウスに関連する先行技術文献としては次のようなものがある。
【０００３】
【特許文献１】実開平０６−０６５９３５号公報
【特許文献２】特開平０６−０６９０９４号公報
【特許文献３】特開平０８−１５２９６４号公報
【特許文献４】特開平０８−１５２９６５号公報
【特許文献５】特開２０００−０８９９０９号公報
【特許文献６】特開２００１−１１７７１６号公報
【０００４】
図５はこのような従来のマウスの一例を示す上面図、裏面図及び断面図である。図５において１はマウスの本体、２及び３は表示画面上においてダブルクリックによりショートカットを実行させたりプルダウンメニューを表示させる等の操作を行う２つのボタン、４はコンピュータとの接続に用いられるケーブル（コンピュータとの接続部分については記載は省略。）、５，６及び７はマウスパッド等の移動平面との摩擦抵抗を低減するためのパッド、８はマウスの移動平面における移動量を検出する移動量検出手段である。
【０００５】
図５中”ＦＵ０１”に示す上面図において、本体１の長手方向の一端にはケーブル４が装着され、本体１の上面であってケーブル４側にはボタン２及びボタン３が本体１の長手方向に沿って並行して設けられる。
【０００６】
また、図５中”ＦＢ０１”に示す裏面図において、本体１裏面の中央部分には移動量検出手段８が設けられ、本体１の裏面の周辺部分にはパッド５、６及び７が設けられる。具体的には、ケーブル４側にパッド５及び６が設けられ、反対側にはパッド７が設けられる。また、図５中”ＦＣ０１”は本体１の長手方向の断面図である。
【０００７】
ここで、図５に示す従来例の動作を説明する。操作者が本体１をマウスパッド等の移動平面上を移動させると、本体１に設けられた移動量検出手段８はその移動量及び移動方向を検出してケーブル４を介して接続されるコンピュータ（図示せず。）に送信する。また、ボタン２或いはボタン３が操作された場合にはその情報を併せてケーブル４を介して接続されるコンピュータ（図示せず。）に送信する。
【０００８】
このような、移動量及び移動方向を受信したコンピュータ（図示せず。）は、当該移動量及び移動方向に基づき表示画面上のマウスポインタを移動させる。また、ボタン２或いはボタン３の操作情報に基づきショートカットを実行させたりプルダウンメニューを表示させる等を行わせる。
【０００９】
一方、マウスに用いられる移動量検出手段８としては、ボールと当該ボールに接する複数個の回転数検出センサを備え、回転数検出センサの回転数に基づき移動量や移動方向を検出する機械式のもの、或いは、発光素子、受光素子及び信号処理手段を備え、発光素子から出射された光の移動平面における反射光を受光素子で受光して信号処理することにより移動量や移動方向を検出する光学式のものの２種類が一般的である。
【００１０】
また、本体１の裏面にはマウスパッド等の移動平面との摩擦抵抗を低減するためのパッドが複数個設けられているので、本体１をマウスパッド等の移動平面上を移動させる場合の抵抗が低減されて操作性が向上することになる。
【００１１】
あるいは、本体１の裏面に本体１とマウスパッド等の移動平面との接地面積を最小にするために突起等を設けているものも存在している。
【発明の開示】
【発明が解決しようとする課題】
【００１２】
しかし、図５に示す従来例では、特に、移動量検出手段８が機械式である場合には、汚れの付着に起因する回転数検出センサの誤作動や、ボールの回転むら、或いは、回転不良により、表示画面上のマウスポインタの動きに不具合が生じてしまうと言った問題点があった。
【００１３】
また、移動量検出手段８が光学式であっても、汚れの付着に起因して発光素子からの出射光が移動平面にうまく到達しない、或いは、移動平面からの反射光が受光素子にうまく到達しない等により、表示画面上のマウスポインタの動きに不具合が生じてしまうと言った問題点があった。
【００１４】
また、マウスパッド等の移動平面との摩擦抵抗を低減するためのパッドを設けた場合、当該パッド自身に汚れが付着して、かえって摩擦抵抗が増大し操作性が悪化してしまうと言った問題点があった。
【００１５】
このため、摩擦抵抗を低減して操作性を向上させるために、言い換えれば、ごみや埃がマウスに付着しないようにするため、ボールや回転数検出センサの定期的なクリーニングや、出射光や反射光の伝播に支障がないように定期的なクリーニングが必須要件となる。
【００１６】
例えば、このようなごみや埃がマウスに付着するということは、ごみや埃が粘度を持った汚れに変質して付着するものと考えられ、原因としては後述のようなものが想定される。
【００１７】
図６はマウス、移動平面及び操作者の手との関係を示す断面図であり、図６中”ＭＰ１１”に示すマウスパッド等の移動平面上で図６中”ＭＳ１１”に示すマウスを操作する場合、図６中”ＨＤ１１”に示す操作者の手の一部が図６中”ＣＮ１１”に示すように移動平面に接触して手の皮脂がごみや埃と結合して粘度を有する汚れに変質しやすくなる。
【００１８】
また、図６中”ＡＲ１１”に示すように図６中”ＭＳ１１”に示すマウスと図６中”ＨＤ１１”に示す操作者の手との間に生じる空間は、空気流動性が乏しく、操作者の体温による温度上昇で、操作者の手が発汗し、水分とごみや埃と結合して粘度を有する汚れに変質しやすくなる。
【００１９】
また、本体１の裏面に本体１とマウスパッド等の移動平面との接地面積を最小にするために突起等を設けた場合には、突起が移動平面をなぞることになり、移動平面の材質によっては何らかの損傷が生じてしまうと言った問題点があった。さらに、移動平面がざらついている場合にはかえって摩擦抵抗が増大してしまうと言った問題点があった。
従って本発明が解決しようとする課題は、マウスへの汚れの付着を低減し操作性を向上させることが可能なマウスを実現することにある。
【課題を解決するための手段】
【００２０】
このような課題を達成するために、本発明のうち請求項１記載の発明は、
コンピュータに接続され表示画面上のマウスポインタを任意の位置に移動させ位置を指定するマウスにおいて、
本体と、この本体に装着され前記コンピュータと接続するためのケーブルと、前記本体の上面に並行に設けられた２つのボタンと、前記本体の裏面の中央部分に設けられ移動平面における移動量や移動方向を検出する移動量検出手段と、前記本体の裏面の周辺部分に設けられ移動平面との摩擦抵抗を低減するための複数のパッドと、前記本体の側面であって前記ボタンの近傍に設けられた吸気口と、前記本体内部に設けられたファンと、前記本体の裏面に設けられた複数の排気口と、前記本体内部にであって前記吸気口と前記ファンの吸気側と、前記ファンの排気側と前記複数の排気口とをそれぞれ接続する通気管とを備えたことにより、マウスへの汚れの付着を低減し操作性を向上させることが可能になる。また、本体に対して浮力を与えるため本体と移動平面との間の摩擦抵抗を低減し操作性を更に向上させる。
【００２１】
請求項２記載の発明は、
請求項１記載の発明であるマウスにおいて、
前記吸気口と相対する前記本体の側面に設けられた第２の排気口と、前記ファンの排気側と前記第２の排気口とを接続する第２の通気管とを備えたことにより、マウスへの汚れの付着を低減し操作性を向上させることが可能になる。また、本体に対して浮力を与えるため本体と移動平面との間の摩擦抵抗を低減し操作性を更に向上させる。
【００２２】
請求項３記載の発明は、
請求項１若しくは請求項２記載の発明であるマウスにおいて、
前記移動量検出手段が前記本体の移動を検出した場合に前記ファンを動作させることにより、消費電力を低減することが可能になる。
【００２３】
請求項４記載の発明は、
請求項１若しくは請求項２記載の発明であるマウスにおいて、
前記ボタンが操作された場合に前記ファンを動作させることにより、消費電力を低減することが可能になる。
【００２４】
請求項５記載の発明は、
請求項１若しくは請求項２記載の発明であるマウスにおいて、
前記第２の排気口近傍に設けられた温度センサとを備え、
前記温度センサで測定した温度が予め設定された閾値を超過した場合に前記ファンを動作させることにより、消費電力を低減することが可能になる。
【００２５】
請求項６記載の発明は、
請求項１若しくは請求項２記載の発明であるマウスにおいて、
前記第２の通気管に設けられた開閉手段と、
前記第２の排気口近傍に設けられた温度センサとを備え、
前記温度センサで測定した温度が予め設定された閾値を超過した場合に前記開閉手段を開くことにより、空間の温度に応じて、第２の排気口からの空気の排気を制御できる。
【００２６】
請求項７記載の発明は、
請求項１乃至請求項６記載の発明であるマウスにおいて、
前記移動量検出手段が、
ボールと、このボールに接する複数個の回転数検出センサとを備え、前記回転数検出センサの回転数に基づき移動量や移動方向を検出することにより、マウスへの汚れの付着を低減し操作性を向上させることが可能になる。また、本体に対して浮力を与えるため本体と移動平面との間の摩擦抵抗を低減し操作性を更に向上させる。
【００２７】
請求項８記載の発明は、
請求項１乃至請求項６記載の発明であるマウスにおいて、
前記移動量検出手段が、
発光素子と、受光素子と、信号処理手段とを備え、前記発光素子から出射された光の移動平面における反射光を受光素子で受光して信号処理して移動量や移動方向を検出することにより、マウスへの汚れの付着を低減し操作性を向上させることが可能になる。また、本体に対して浮力を与えるため本体と移動平面との間の摩擦抵抗を低減し操作性を更に向上させる。
【発明の効果】
【００２８】
本発明によれば次のような効果がある。
請求項１，２，７及び請求項８の発明によれば、ファンより本体周辺の空気を吸引し本体裏面に設けられた排気口から吸引した空気を排気することにより、マウスへの汚れの付着を低減し操作性を向上させることが可能になる。また、本体に対して浮力を与えるため本体とマウスパッド等の移動平面との間の摩擦抵抗を低減し操作性を更に向上させる。
【００２９】
また、請求項３，４，５，７及び請求項８の発明によれば、移動量検出手段で本体の移動を検出した場合等に、ファンを動作させて、吸引した周辺の空気を排気させることにより、消費電力を低減することが可能になる。
【００３０】
また、請求項６，７及び請求項８の発明によれば、後方の排気口に接続される通気管に開閉手段を設けて、温度センサで測定した温度が予め設定された閾値を超過した場合に当該開閉手段を開き、閾値を超過しない場合には開閉手段を閉じることにより、空間の温度に応じて、後方の排気口からの空気の排気を制御できる。
【発明を実施するための最良の形態】
【００３１】
以下本発明を図面を用いて詳細に説明する。図１、図２，図３及び図４は本発明に係るマウスの一実施例を示す長手方向の構成断面図、構成裏面図、構成前面図及び構成後面図である。図１乃至図４において９はマウスの本体、１０及び２５は表示画面上においてダブルクリックによりショートカットを実行させたりプルダウンメニューを表示させる等の操作を行う２つのボタン、１１はコンピュータとの接続に用いられるケーブル（コンピュータとの接続部分については記載は省略。）、１２はマウスの移動平面における移動量を検出する移動量検出手段、１３は吸気口、１４はファン、１５，１６，１７，２１，２２，２３及び２４は排気口、１８，１９及び２０はマウスパッド等の移動平面との摩擦抵抗を低減するためのパッド、２６は温度センサである。
【００３２】
本体９の長手方向の一端（前面）にはケーブル１１が装着され、本体９の上面であってケーブル１１側には２つのボタン１０及び２５が本体９の長手方向に沿って並行して設けられる。また、本体９裏面の中央部分には移動量検出手段１２が設けられ、本体９裏面の周辺部分にはマウスパッド等の移動平面との摩擦抵抗を低減するためのパッド１８，１９及び２０が設けられる。
【００３３】
本体９の長手方向の一端（前面）には吸気口１３が設けられ、本体９内部であって吸気口１３に接続される通気管の一端にはファン１４の吸気側が設けられる。ファン１４の排気側に接続される通気管は本体９の裏面に設けられた排気口１５，１６，２１，２２，２３及び２４にそれぞれ接続されると共に本体９の長手方向の他端（後面）に設けられた排気口１７に接続される。さらに、本体９の長手方向の他端（後面）には温度センサ２６が設けられる。
【００３４】
ここで，図１乃至図４に示す実施例の動作を説明する。但し、従来例と同様のマウスの基本動作に関しては説明は省略する。ファン１４は、吸気口１３に接続する通気管を負圧にして本体９周囲の空気を吸引すると共に排気側から当該排気側に接続された通気管に吸引した空気を排気する。
【００３５】
このため、ファン１４の排気側に接続された通気管の圧力が上昇し、本体９の裏面に設けられた各排気口１５，１６，２１，２２，２３及び２４から吸引された空気が排気されると共に本体９の長手方向の他端（後面）に設けられた排気口１７からも吸引された空気が排気される。
【００３６】
この時、本体９の裏面に設けられた排気口１５，１６，２１，２２，２３及び２４から排気される空気は、本体９の裏面近傍に存在するごみや埃を吹き飛ばすと共に本体９路面の通気性を向上させて、水分等とごみや埃と結合して粘度を有する汚れに変質することを防止する効果を奏する。
【００３７】
併せて、本体９の裏面に設けられた排気口１５，１６，２１，２２，２３及び２４から排気される空気は、本体９に対して浮力を与えるため本体９とマウスパッド等の移動平面との間の摩擦抵抗を低減し操作性を向上させる。
【００３８】
この結果、ファン１４により本体９周辺の空気を吸引し、本体９裏面に設けられた排気口１５，１６，２１，２２，２３及び２４から吸引した空気を排気することにより、マウスへの汚れの付着を低減し操作性を向上させることが可能になる。また、本体９に対して浮力を与えるため本体９とマウスパッド等の移動平面との間の摩擦抵抗を低減し操作性を更に向上させる。
【００３９】
一方、本体９の長手方向の他端（後面）に設けられた排気口１７から排気される空気は、図６中”ＡＲ１１”に示す空間の換気を行うので、当該空間の温度や湿度が低減され、操作者の手の発汗を抑制し皮脂を乾燥させて、水分等とごみや埃と結合して粘度を有する汚れに変質することを防止する効果を奏する。
【００４０】
この結果、ファン１４により本体９周辺の空気を吸引し本体９の長手方向の他端（後面）に設けられた排気口１７から吸引した空気を排気することにより、マウスへの汚れの付着を低減し操作性を向上させることが可能になる。
【００４１】
なお、図１乃至図４に示す実施例では。本体９の裏面に６個の排気口を設けた例を例示しているが、勿論、本体９裏面の排気口の数に関しては何ら限定されるものではない。
【００４２】
また、図１乃至図４に示す実施例では、本体９の長手方向の他端（後面）に１個の排気口しか設けていないが、複数個の排気口であっても勿論構わない。
【００４３】
また、勿論、各構成要素の配置に関しては何ら図１乃至図４に示す実施例に限定される訳ではなく、自由に配置位置を選択しても構わない。例えば、ボタン１０及び２５の近傍に吸気口１３が設けられていればその他の構成要素の配置は任意であって構わない。
【００４４】
また、移動量検出手段１２で本体９の移動を検出した場合に、ファン１４を動作させて、吸引した周辺の空気を排気させて、マウスへの汚れの付着を低減し操作性を向上させても構わない。
【００４５】
この場合には、マウス（本体９）が移動している場合にのみ、ファン１４が動作するので消費電力を低減することが可能になる。
【００４６】
また、ボタン１０、若しくは、ボタン２５が操作された場合に、ファン１４を動作させて、吸引した周辺の空気を排気させて、マウスへの汚れの付着を低減し操作性を向上させても構わない。
【００４７】
この場合には、ボタンが操作されている場合にのみ、ファン１４が動作するので消費電力を低減することが可能になる。
【００４８】
また、排気口１７に接続される通気管に開閉手段を設けて、温度センサ２６で測定した温度が予め設定された閾値を超過した場合に当該開閉手段を開き、閾値を超過しない場合には開閉手段を閉じることにより、自動的に、本体９の長手方向の他端（後面）に設けられた排気口１７からの空気の排気を制御しても構わない。
【００４９】
この場合には、本体９の長手方向の他端（後面）の空間の温度に応じて、本体９の長手方向の他端（後面）に設けられた排気口１７からの空気の排気を制御できる。
【００５０】
また、温度センサ２６で測定した温度が予め設定された閾値を超過した場合にファン１４を動作させき、閾値を超過しない場合にはファン１４を停止させることにより、自動的に、本体９の長手方向の他端（後面）の空間の温度に応じて、空気の排気を制御でき、消費電力を低減することが可能になる。
【００５１】
この場合には、本体９裏面の排気口からの空気の排気が常時なされないため、本体９に対して浮力が常時与えられないので、操作性の更なる向上は期待できないもののマウスへの汚れの付着を低減させることは可能である。
【図面の簡単な説明】
【００５２】
【図１】本発明に係るマウスの一実施例を示す長手方向の構成断面図である。
【図２】本発明に係るマウスの一実施例を示す構成裏面図である。
【図３】本発明に係るマウスの一実施例を示す構成前面図である。
【図４】マウスの一実施例を示す構成後面図である。
【図５】従来のマウスの一例を示す上面図、裏面図及び断面図である。
【図６】マウス、移動平面及び操作者の手との関係を示す断面図である。
【符号の説明】
【００５３】
１，９  本体
２，３，１０，２５  ボタン
４，１１  ケーブル
５，６，７，１８，１９，２０  パッド
８，１２  移動量検出手段
１３  吸気口
１４  ファン
１５，１６，１７，２１，２２，２３，２４  排気口
２６  温度センサ
【図１】
2005352565.tif 000003
【図２】
2005352565.tif 000004
【図３】
2005352565.tif 000005
【図４】
2005352565.tif 000006
【図５】
2005352565.tif 000007
【図６】
2005352565.tif 000008